(57)【要約】      （修正有）【課題】容易に取り付けおよび取り外しが可能なアクセサリーを提供する。【解決手段】取り付け部材１と、取り付け部材１の一端に取り付けるモデリングアクセサリー２と、モデリングアクセサリー２の内部に設けられる発光装置とを含む。取り付け部材１は、一端に固定部１１を有し、他端にストッパー部１２を有する。固定部１１とストッパー部１２との間には連結部１３を有する。固定部１１と連結部１３との接続箇所には第一ストッパー面１１１を形成し、ストッパー部１２と連結部１３との接続箇所には第二ストッパー面１２２を形成する。モデリングアクセサリー２は立体の外観形状であり、固定部１１に固定され連結されている。発光装置は発光素子を有し、発光素子はモデリングアクセサリー２の内部に設けられる。【選択図】図２
0003144557.tif 000002
【実用新案登録請求の範囲】
【請求項１】
取り付け部材と、
前記取り付け部材の一端に取り付けられるモデリングアクセサリーと、
前記モデリングアクセサリーの内部に設けられる発光装置と、を備え、
前記取り付け部材は一端に固定部を有し、前記取り付け部材は他端に前記固定部に対応するストッパー部を有し、前記固定部と前記ストッパー部との間には連結部を有し、前記固定部と前記連結部との接続箇所に第一ストッパー面を形成し、前記ストッパー部と前記連結部との接続箇所に第二ストッパー面を形成し、
前記モデリングアクセサリーは立体に形成され、前記モデリングアクセサリーは前記取り付け部材の前記固定部に固定されて連結し、
前記発光装置は震動を受けて発光する発光素子を有し、前記発光素子は少なくとも一つの電池によって電源が供給され、
前記発光素子は前記モデリングアクセサリーの内部に位置し、前記モデリングアクセサリーは一定の透光性を有することで、前記発光装置の前記発光素子が発光する光を射出することを特徴とするアクセサリー。
【請求項２】
前記モデリングアクセサリーは、底面を有し、前記底面は前記取り付け部材の前記固定部に固定されて連結し、前記モデリングアクセサリーの内部に設けられた密封空間に前記発光装置を設置し、前記発光装置はさらに回路制御基板を有し、前記回路制御基板上には前記発光素子が設置され、前記発光素子は発光ダイオードであり、前記回路制御基板には前記電池および震動スイッチが設置され、前記電池は前記発光素子に電源を供給し、前記発光素子は前記震動スイッチの作動を受けて発光することを特徴とする請求項１に記載のアクセサリー。
【請求項３】
前記発光装置は、前記取り付け部材内に設置され、前記取り付け部材の一端の前記固定部の縁の回りには上方に壁面が延びており、前記壁面内に凹溝が形成され、前記凹溝内には前記発光装置を設置し、前記モデリングアクセサリーの内部にはスペースを有し、前記スペースは開口部を有し、前記取り付け部材の前記固定部における前記壁面が前記開口部によって前記スペース内に嵌め込まれ、前記発光装置の前記発光素子が前記モデリングアクセサリーの内部に位置することを特徴とする請求項１に記載のアクセサリー。
【請求項４】
前記取り付け部材の前記固定部の前記凹溝の底部は、前記連結部に向かって窪んで収納室になり、前記凹溝内に前記発光装置の前記発光素子を設置し、前記収納室内に前記発光装置の前記電池を置くことを特徴とする請求項３に記載のアクセサリー。
【考案の詳細な説明】
【技術分野】
【０００１】
本考案は、アクセサリーに関し、特に、取り付けおよび取り外しが容易にできるアクセサリーに関する。
【背景技術】
【０００２】
靴、帽子、鞄、衣服のように、従来の被取り付け物上に取り付けるアクセサリーは、通常、固定式であるため、装飾効果はあるものの、以下のような問題を有する。
まず、交換することができない。従来の被取り付け物上に取り付けるアクセサリーは、大部分が固定式で交換することができないため、頻繁に交換する必要があるときでも、被取り付け物のスタイルを変化させることはできない。
次に、警告性が欠如している。通常、被取り付け物上に取り付けるアクセサリーは、単純に装飾用であり、灯りの効果を有していないため、夜間の活動の際に、警告性を備えていない。
そして、面白さが不足している。従来のアクセサリーは、交換できないうえ、灯りの効果も有していないため、使用する際、単調で、少し面白みに欠ける。
【考案の開示】
【考案が解決しようとする課題】
【０００３】
本考案の主な目的は、上述の問題を解決するために、容易に取り付けおよび取り外しが可能なアクセサリーを提供することにある。
本考案のもう一つの目的は、モデリングアクセサリー内に発光する装置を設けることで、モデリングアクセサリーの装飾効果を増加させるだけでなく、夜間の活動の際に、警告の効果を有することにある。
【課題を解決するための手段】
【０００４】
被取り付け物に取り付けることができる取り付け部材、前記取り付け部材の一端に取り付けられるモデリングアクセサリーおよび前記モデリングアクセサリー内部に設けられる発光装置を含む。
前記取り付け部材の一端には固定部を有し、前記固定部に対応する前記取り付け部材の他端にはストッパー部を有する。前記取り付け部材の前記固定部と前記ストッパー部との間に連結部を有することで、前記固定部と前記連結部の接続箇所に第一ストッパー面が形成され、前記ストッパー部と前記連結部の接続箇所に第二ストッパー面が形成される。
前記モデリングアクセサリーは、立体の外観形状を有し、かつ前記モデリングアクセサリーは前記取り付け部材の固定部に固定され連結する。前記発光装置は、震動を受けて発光する発光素子を有し、前記発光素子は少なくとも一つの電池によって電源が供給され、前記発光素子は前記モデリングアクセサリーの内部に位置している。前記モデリングアクセサリーは一定の透光性を有することで、前記発光装置の発光素子が発光する光を射出する。
（考案の効果）
【０００５】
本考案のアクセサリーによれば、モデリングアクセサリーと取り付け部材を連結させ、取り付け部材は被取り付け物に取り付け又は取り外しやすい構成に設計することで、モデリングアクセサリーを簡単に被取り付け物上に取り付けて、アクセサリーとして使用できる。また、被取り付け物から取り外し、異なるモデリングアクセサリーに交換でき、さらに、モデリングアクセサリー内に発光する装置を設置することで、モデリングアクセサリーの装飾効果を増加させるだけでなく、夜間の活動の際に、警告の効果を有することができる。
【考案を実施するための最良の形態】
【０００６】
以下、本考案の実施形態を図面に基づいて説明する。
（第１実施形態）
本考案の第１実施形態の構成を図１から図４に示す。これは、本考案の好ましい実施形態の説明に過ぎず、本考案の実施範囲を限定するものではない。
本考案の第１実施形態に係るアクセサリーは、主に、被取り付け物に取り付けできる取り付け部材１、取り付け部材１の一端に固定するモデリングアクセサリー２およびモデリングアクセサリー２の内部の発光装置３を含む。
【０００７】
取り付け部材１の一端には固定部１１を有し、固定部１１に対応する取り付け部材１の他端にはストッパー部１２を有する。取り付け部材１は、固定部１１とストッパー部１２との間に連結部１３を有する。連結部１３の外径は固定部１１とストッパー部１２の外径より小さいことで、固定部１１と連結部１３の接続箇所に第一ストッパー面１１１が形成され、ストーパー部１２と連結部１３の接続箇所には第二ストッパー面１２２が形成される。本実施形態においては、ストッパー部１２はプレート体であり、第二ストッパー面１２２に対応するストッパー部１２の側面は孤形端面１２１である。
【０００８】
モデリングアクセサリー２は立体の外観形状を有し、かつモデリングアクセサリー２は底面２１を有する。底面２１は、取り付け部材１の固定部１１に固定され連結される。本実施形態においては、モデリングアクセサリー２はてんとう虫の外観形状をしているが、図４に示すように、モデリングアクセサリー２は、当然、イチゴ、花、しいたけ、りんご等の外観形状にすることもできる。
【０００９】
発光装置３は、震動を受けて発光する発光素子３２を含む。発光装置３の発光素子３２は、モデリングアクセサリー２の内部に取り付けられる。モデリングアクセサリー２は、一定の透光性を有していて、発光装置３の発光素子３２が発光した光を射出することができる。本実施形態において、モデリングアクセサリー２の内部は、密封空間２２を有していて、発光装置３を設置することができる。発光装置３は回路制御基板３１を有し、回路制御基板３１上には発光素子３２が設置される。発光素子３２は、少なくとも一つの電池３３によって電源が供給される。本実施形態においては、発光素子３２は発光ダイオードであり、回路制御基板３１には電池３３および震動スイッチ３４が設置されており、発光素子３２は震動スイッチ３４が作動を受けて発光する。
【００１０】
使用時には、取り付け部材１を利用して、前記アクセサリーを被取り付け物上に取り付けることができる。図５および図６に示すように、本実施形態において、前記被取り付け物はゴム材料で作られた靴４である。靴４は表面上に多数の取り付け孔４１を有するため、取り付け部材１のストッパー部１２を靴４の取り付け孔４１に通すことで（前記取り付け孔は、靴がゴム材料のために、拡張性を有し、少し広げることができる）、取り付け部材１における固定部１１の第一ストッパー面１１１とストッパー部１２の第二ストッパー面１２２が取り付け孔４１の両側でそれぞれ止まるようになり、取り付け部材１を靴４上で位置を固定することができる。
また、モデリングアクセサリー２を靴４の表面上に露出することができるため、靴４の装飾効果を高められる。また、多くの異なる形状のモデリングアクセサリー２の装飾物を準備することで、使用者の好みに応じて、好みの装飾物を選んで靴４に取り付けることで、装飾効果をより良くする。そして、歩行時に、モデリングアクセサリー２内に位置する発光装置３は震動を受け、発光装置３の震動スイッチ３４が震動を感知し、発光素子３２が発動して光が明滅することで、装飾物の装飾効果を向上することができる。また、夜間の活動の際、警告灯として使用することで、使用上の実用性と面白さを高めることが可能となる。
【００１１】
当然、前記被取り付け物は決して靴だけに限定されるわけではなく、鞄５や帽子６でも可能である。図７および図８に示すように、鞄５および帽子６上に複数の取り付け孔５１、取り付け孔６１を開設することができる。前記装飾物は、取り付け部材１を利用して、取り付け孔５１、取り付け孔６１内に取り付けることで、モデリングアクセサリー２を鞄５或いは帽子６の表面に露出することができ、装飾効果を高めることが可能になるとともに、異なる被取り付け物に取り付けできるという実用性も高める。さらに、夜間の活動の際に、発光装置３を利用することで、モデリングアクセサリー２が発する光により警告の効果を高めることも可能となる。
その他に、被取り付け物上の装飾物の取り外しおよび交換が必要の際には、取り付け部材のストッパー部を前記被取り付け物の取り付け孔から取り外すだけで、装飾物を取り外し、異なる形状のモデリングアクセサリーを有する装飾物と交換することができる。
【００１２】
（第２実施形態）
本考案には多くの例が存在し、細かい部分が変化する。図９および図１０に示しているのは、本考案の第２実施形態である。本実施形態において、発光装置３Ａは取り付け部材１Ａ内に設置し、発光装置３Ａの発光素子３２Ａはモデリングアクセサリー２Ａの内部に位置するようにする。
取り付け部材１Ａの一端における固定部１１Ａの縁周りには上方に壁面１１２が伸びていて、壁面１１２内には凹溝１１３が形成され、凹溝１１３内には発光装置３Ａを設置する。
【００１３】
（第３実施形態）
図１１に示すのは、本考案の第３実施形態である。取り付け部材１Ａの一端における固定部１１Ａの凹溝１１３底部は、連結部１３Ａに向かって凹んでいて収納室１１４になっているため、凹溝１１３内に発光装置３Ａの回路制御基板３１Ａを設置することができる。かつ、収納室１１４内には発光装置３Ａの電池３３Ａを置くことができる。
【００１４】
前記モデリングアクセサリーは、材質の関係により高温のベーキングによって成形しなければならない。前記発光装置が高温の影響を受けて故障するのを避けるために、第２実施形態および第３実施形態の構成では、モデリングアクセサリー２Ａをまず成形した後、取り付け部材１Ａの固定部１１Ａと発光装置３Ａとをモデリングアクセサリー２Ａの内部に固定する。この様にすることで、発光装置３Ａが高温によって故障しないようにし、製品の歩留りを更に高めることができる。
第３実施形態の構成では、発光装置３Ａの電池３３Ａを収納室１１４内に移動させることで、固定部１１Ａの構成を縮小し、相対的にモデリングアクセサリー２Ａの体積も縮小することができる。
【００１５】
（第４実施形態）
図１２に示しているのは、本考案の第４実施形態である。取り付け部材１Ｂの連結部１３Ｂは中空の柱体であり、連結部１３Ｂとストッパー部１２Ｂの半径の方向に複数個の等間隔のスロット１４を開設している。
ストッパー部１２Ｂの間にはスロット１４を有しているので、靴の取り付け孔に取り付けるとき、各ストッパー部１２Ｂを内側に向かって圧縮することができ、前記取り付け孔に通しやすくなる。また、前記取り付け孔から取り外すのも便利なので、取り付けおよび取り外しの際の利便性を向上させることができる。
上述したように、本考案の主な利点は、本考案の構成によって、装飾物を被取り付け物上に取り付けられるようにすることで、交換を容易にするとともに、発光装置の設計によって、装飾上の面白みを有するようになるだけでなく、夜間の活動の際に、警告灯として使用することもできるようになるところにある。
【図面の簡単な説明】
【００１６】
【図１】本考案の第１実施形態によるアクセサリーを示す斜視図。
【図２】本考案の第１実施形態によるアクセサリーを示す分解斜視図。
【図３】本考案の第１実施形態によるアクセサリーを示す断面図。
【図４】本考案の第１実施形態によるアクセサリーのモデリングアクセサリーの外観形状を示す斜視図。
【図５】本考案の第１実施形態によるアクセサリーの靴への取り付け状態を示す斜視図。
【図６】本考案の第１実施形態によるアクセサリーが震動を受けて発光する状態を示す断面図。
【図７】本考案の第１実施形態によるアクセサリーの鞄への取り付け状態を示す斜視図。
【図８】本考案の第１実施形態によるアクセサリーの帽子への取り付け状態を示す斜視図。
【図９】本考案の第２実施形態によるアクセサリーを示す分解斜視図。
【図１０】本考案の第２実施形態によるアクセサリーを示す断面図。
【図１１】本考案の第３実施形態によるアクセサリーを示す断面図。
【図１２】本考案の第４実施形態によるアクセサリーを示す断面図。
【符号の説明】
【００１７】
１：取り付け部材、１Ａ：取り付け部材、１Ｂ：取り付け部材、２：モデリングアクセサリー、２Ａ：モデリングアクセサリー、３：発光装置、３Ａ：発光装置、４：靴、５：鞄、６：帽子、１１：固定部、１２：ストッパー部、１２Ｂ：ストッパー部、１３：連結部、１３Ａ：連結部、１３Ｂ：連結部、１４：スロット、２１：底面、２１Ａ：底面、２２：スペース、３１：回路制御基板、３１Ａ：回路制御基板、３２：発光素子、３２Ａ：発光素子、３３：電池、３３Ａ：電池、３４：震動スイッチ、４１：取り付け孔、５１：取り付け孔、６１：取り付け孔、１１１：第一ストッパー面、１１２：壁面、１１３：凹溝、１１４：収納室、１２１：孤形端面、１２２：第ニストッパー面、２２１：開口部
【図１】
0003144557.tif 000003
【図２】
0003144557.tif 000004
【図３】
0003144557.tif 000005
【図４】
0003144557.tif 000006
【図５】
0003144557.tif 000007
【図６】
0003144557.tif 000008
【図７】
0003144557.tif 000009
【図８】
0003144557.tif 000010
【図９】
0003144557.tif 000011
【図１０】
0003144557.tif 000012
【図１１】
0003144557.tif 000013
【図１２】
0003144557.tif 000014